(57)【要約】【課題】不動産に設けられたゲートを通過する際のユーザの利便性を向上させること。【解決手段】ユーザＵが趣味的に人体に装着し又は普通一般に身に付けて移動する物でありかつ省電力の近距離無線通信機能を有する装着端末１Ａと、この装着端末を唯一のペアーとして認証のやり取りができ、かつ記憶部に鍵情報を有する所持型の通信端末１と、この通信端末との間で無線通信が行われるゲート制御装置２Ａとを備え、通信端末及び前記装着端末の両方が前記ゲート制御装置の無線圏内Ｙに存在するとき、通信端末は前記ゲート制御装置との間で通信可能となり、ゲート制御装置と通信端末との呼応の結果、認証が成立すると、ゲート制御装置は正規のユーザが通信端末を所持しているものと見做してユーザがハンズフリーの状態で通過することができるように車両や人の出入り口に設けられた開閉バー４Ａを左右又は上下に開くように制御する入室管理装置。【選択図】図１
2016188477.tif 000002
【特許請求の範囲】
【請求項１】
ユーザ（Ｕ）が趣味的に人体に装着し又は普通一般に身に付けて移動する物であり、かつ省電力の近距離無線通信機能を有する装着端末（１Ａ）と、この装着端末を唯一のペアーとして認証のやり取りができ、かつ記憶部に鍵情報を有する所持型の通信端末（１）と、この通信端末との間で無線通信が行われる開閉体制御装置（２）とを備え、前記通信端末及び前記装着端末の両方が前記開閉体制御装置の無線圏内（Ｙ）に存在するとき、前記通信端末は前記開閉体制御装置との間で通信可能となり、前記開閉体制御装置と前記通信端末との呼応の結果、認証が成立すると、前記開閉体制御装置は正規のユーザが前記通信端末を所持しているものと見做して電気錠（５）を解錠状態に制御し、又は前記ユーザがハンズフリーの状態で通過することができるように建具の扉（４）を開くように制御するか、のいずれかであることを特徴とする入室管理装置。
【請求項２】
ユーザ（Ｕ）が趣味的に人体に装着し又は普通一般に身に付けて移動する物であり、かつ省電力の近距離無線通信機能を有する装着端末（１Ａ）と、この装着端末を唯一のペアーとして認証のやり取りができ、かつ記憶部に鍵情報を有する所持型の通信端末（１）と、この通信端末との間で無線通信が行われるゲート制御装置（２Ａ）とを備え、前記通信端末及び前記装着端末の両方が前記ゲート制御装置の無線圏内（Ｙ）に存在するとき、前記通信端末は前記ゲート制御装置との間で通信可能となり、前記ゲート制御装置と前記通信端末との呼応の結果、認証が成立すると、前記ゲート制御装置は正規のユーザが前記通信端末を所持しているものと見做して前記ユーザがハンズフリーの状態で通過することができるように車両や人の出入り口に設けられた開閉バー（４Ａ）を左右又は上下に開くように制御することを特徴とする入室管理装置。
【請求項３】
請求項１又は請求項２に於いて、装着端末はイヤホンと接続可能な中継ユニットであり、通信端末は装着端末との認証成立を主たる認証成立条件とし、該主たる認証成立条件が成立後、自己の特定のアプリケーションが起動中であることを付加的認証条件とし、該付加的認証条件が成立したならば、開閉体制御装置に応答することを特徴とする入室管理装置。
【請求項４】
請求項１又は請求項２に於いて、装着端末と通信端末のやり取りの中には、通信端末のセキュリティロックを解くための検知情報が含まれ、該検知情報は前記装着端末のユーザが装着する眼鏡に設けられ、かつユーザの瞼の動きを検知する検知手段からのものであり、該検知手段の検知情報は付加的認証成立の条件となることを特徴とする入室管理装置。
【請求項５】
請求項１又は請求項２に於いて、装着端末と通信端末のやり取りの中には、通信端末のセキュリティロックを解くための検知情報が含まれ、該検知情報は前記装着端末のユーザが装着する靴に設けられ、かつユーザの靴の振動を検知する検知手段からのものであり、該検知手段の検知情報は付加的認証成立の条件となることを特徴とする入室管理装置。  
【請求項６】
請求項１又は請求項２に於いて、装着端末と通信端末のやり取りの中には、通信端末のセキュリティロックを解くための検知情報が含まれ、該検知情報は前記装着端末のユーザが装着する腕時計に設けられ、かつユーザの腕時計の振動を検知する、又腕時計に接触した温度を検知する、又は腕時計を手で塞ぐことにより光の遮蔽状態を検知するの、いずれかの検知手段であり、該検知手段の検知情報は付加的認証成立の条件となることを特徴とする入室管理装置。  
【請求項７】
請求項１又は請求項２に於いて、普通一般に身に付けて移動する物は、錠前を施・解錠することができる鍵であることを特徴とする入室管理装置。
【請求項８】
請求項１又は請求項２に於いて、閉体制御装置は、該開閉体制御装置そのもの、扉の外壁面、扉の外壁面付近の壁、扉のハンドルのいずれかに設けられた起動用釦からの信号を取得した時、通信端末との通信を開始することを特徴とする入室管理装置。
【請求項９】
請求項１又は請求項２に於いて、閉体制御装置は、認証成立後、該開閉体制御装置そのもの、扉の外壁面、扉の外壁面付近の壁、扉のハンドルのいずれかに設けられた解錠用釦からの信号を取得した時、電気錠を解錠状態に制御することを特徴とする入室管理装置。
【発明の詳細な説明】
【技術分野】
【０００１】
本発明は不動産としての建物や駐車場のゲートを開閉する入室管理装置に関する。
【背景技術】
【０００２】
特許文献１には、「情報処理端末装置と、装着端末装置との間で無線通信が行われ、無線通信が確立されている場合は、情報処理端末装置に対する操作を有効とし、また、無線通信が確立されない場合は、情報処理端末に対する操作を無効とする端末制御システムであって、情報処理端末装置は、無線通信が一度確立された後に無線通信が切断された場合は、情報処理端末装置で行われる所定の認証が成功した場合のみ、情報処理端末装置に対する操作を有効とする制御を行うことを特徴とする端末制御システム、情報処理端末装置、端末制御方法及びプログラム」が開示されている。この特許文献１に記載の発明は、要するに、情報処理端末装置、例えばスマートホン（登録商標）とユーザが身に付けているキー側装置との間でＢｌｕｅ  ｔｏｏｔｈ（ブルートゥース）等の近距離無線通信が可能であり、前記スマートホン（登録商標）は前記キー側装置を唯一のペアーとして認証処理をするものであり、前記キー側装置との無線通信が確立されない場合は、情報処理端末に対する操作を無効とすることを前提とする。このような考え方は、特許文献２に記載されているとおりである。
【先行技術文献】
【特許文献】
【０００３】
【特許文献１】特開２００７−２５１５６５号
【特許文献２】特開２００４−１０２６８２号
【発明の概要】
【発明が解決しようとする課題】
【０００４】
本願発明の主たる目的は、特許文献１及び特許文献２は、ユーザが所持するスマートホン（登録商標）と当該ユーザが外出の際、一般的に身に付けるキー側装置（例えば装身具）を認証手段の「対（ペアー）」とする点で、例えばスマートホン（登録商標）を紛失した場合には、勝手に操作されないという利便性を確保することができる。そこで、特許文献１及び特許文献２の前記利点を生かしつつ、建具の扉の電気錠を、省電力の近距離無線通信機能を有する装着端末を利用して解錠し、或いは駐車場の開閉バー等のゲートを自動的に開きいわゆるハンズフリーの状態で通過することができることである。本願発明の第２の目的は、通信端末及び前記装着端末の両方が前記開閉体制御装置の無線圏内に存在するときであっても、他の条件（例えば通信端末側の音楽のアプリケーションが起動している、装着端末が振動を検知した、装着端末が人体の特定の動きを検知した等）を加味することにより、より一層防犯対策を高めることである。
【課題を解決するための手段】
【０００５】
本発明の入室管理装置は、ユーザＵが趣味的に人体に装着し又は普通一般に身に付けて移動する物であり、かつ省電力の近距離無線通信機能を有する装着端末１Ａと、この装着端末を唯一のペアーとして認証のやり取りができ、かつ記憶部に鍵情報を有する所持型の通信端末１と、この通信端末との間で無線通信が行われる開閉体制御装置２とを備え、前記通信端末及び前記装着端末の両方が前記開閉体制御装置の無線圏内Ｙに存在するとき、前記通信端末は前記開閉体制御装置との間で通信可能となり、前記開閉体制御装置と前記通信端末との呼応の結果、認証が成立すると、前記開閉体制御装置は正規のユーザが前記通信端末を所持しているものと見做して電気錠５を解錠状態に制御し、又は前記ユーザがハンズフリーの状態で通過することができるように建具の扉４を開くように制御するか、のいずれかであることを特徴とする。
【０００６】
また本発明の入室管理装置は、ユーザＵが趣味的に人体に装着し又は普通一般に身に付けて移動する物であり、かつ近距離無線通信機能を有する装着端末１Ａと、この装着端末を唯一のペアーとして認証のやり取りができ、かつ記憶部に鍵情報を有する所持型の通信端末１と、この通信端末との間で無線通信が行われるゲート制御装置２Ａとを備え、前記通信端末及び前記装着端末の両方が前記ゲート制御装置の無線圏内Ｙに存在するとき、前記通信端末は前記ゲート制御装置との間で通信可能となり、前記ゲート制御装置と前記通信端末との呼応の結果、認証が成立すると、前記ゲート制御装置は正規のユーザが前記通信端末を所持しているものと見做して前記ユーザがハンズフリーの状態で通過することができるように車両や人の出入り口に設けられた開閉バー４Ａを左右又は上下に開くように制御することを特徴とする。    
【発明の効果】
【０００７】
（ａ）各独立請求項に記載の発明は、特許文献１及び特許文献２の前記利点を生かしつつ、建具の扉の電気錠を解錠することができる。また実施形態によっては、駐車場の開閉バー等のゲートを自動的に開き、いわゆるハンズフリーの状態で通過することができる（解錠時の操作性の向上）。また実施形態によっては、閉体制御装置は、閉体制御装置自体、扉の外壁面、ハンドル等のいずれかに設けられた解錠用釦からの信号を取得した時、通信端末との通信を開始するので、いわゆるハンズフリーの状態で通過することができないものの、本発明の主たる目的を達成することができる。
（ｂ）請求項２等の従属項に記載の各明は、他の条件（例えば通信端末側の音楽のアプリケーションが起動している、装着端末が振動を検知した、装着端末が人体の特定の動きを検知した等）を加味することにより、より一層防犯対策を高めることができる。
【図面の簡単な説明】
【０００８】
図１乃至図７は本発明の第１実施形態を示す各説明図。図８は第１実施形態に他の要素を加味した本発明の第２実施形態を示す説明図。図９及び図１０は開閉体制御装置がゲート制御装置である各概略説明図。図１１の（ａ）〜（ｃ）は装着端末が設けられた物の他の形態を示す各説明図。
【図１】入室管理装置の全体の環境を示す説明図。
【図２】所持型の通信端末と開閉体制御装置の一例を示すブロック図。
【図３】所持型の通信端末の表示画面の説明図。
【図４】開閉体制御装置の一例としての電気錠制御装置のブロック図。
【図５】装着端末のブロック図。
【図６】主要部のフローチャート（第１実施形態）。
【図７】第１実施形態における開閉体制御装置側のフローチャート。
【図８】第１実施形態に付加的認証条件を加味したフローチャート（第２実施形態）。
【図９】開閉体制御装置がゲート制御装置である概略説明図。
【図１０】ゲート制御装置を示す概略ブロック図。
【図１１】ユーザが身に付けている物の具体例で、（ａ）は眼鏡、（ｂ）は靴、（ｃ）は腕時計である。
【発明を実施するための最良の形態】
【０００９】
（１）本発明の入室管理装置Ｘは、ユーザＵが身に付けている装着端末１Ａ、ユーザＵが歩いているときに所持する通信端末１及び所定の不動産の出入り口に設置されている建具の扉、駐車場の開閉バー等のゲート４を開閉する開閉体制御装置２の「３つ要素」が結合したシステムである。開閉体制御装置２の無線圏内Ｙに前記装着端末１Ａ、所持型の通信端末１が存在する時に、所持型の通信端末１、例えばスマートホン（登録商標）の応答器と開閉体制御装置２の質問器との呼応が可能となり、応答器からの返答（鍵情報）が開閉体制御装置２の記憶部に登録されている鍵に関する登録情報１５等と一致した時（鍵情報の認証が成立した時）、例えばマンション、ビル等の建物の玄関扉４が自動的に開き、例えば買物をして来たユーザ（人）Ｕの両手が塞がっている状況であっても、所持型の通信端末１をカバン類から取出しかつ該通信端末１の表示画面にタッチしなくても、そのままハンズフリーの状態で玄関扉４を通過することができるというものである（図１参照）。そこで、まず「通信端末１」と「開閉体制御装置２」と「装着端末１Ａ」の構成を順番に説明する。
【００１０】
（２）「通信端末１」…図２は所持型の通信端末１と開閉体制御装置２の一例を示すブロック図である。また図３は所持型の通信端末１の表示画面１１ａの説明図である。これらの図を参照にして通信端末１の構成を説明する。図３は例えば通信端末１の一例としてのスマートフォン（登録商標）の外観を示す正面図である。この図３において、スマートフォン（登録商標）１は、手のひらに載せることができる扁平状形態で、その一側表面に表示画面１１ａ及び入力画面１１ａとしてのタッパネルが設けられている。またスマートフォンの機枠の縁部には単数又は複数個の不番の操作ボタンが配設され、その一つを押すと、前記表示画面１１ａに南京錠、ロックキー、数字等の絵柄や数字が表示されたロック画面（セキュリティロック）ａが現れる。そこで、前記絵柄や数字を所定方向へ指で操作してスライドさせると、例えば複数個のアイコンが左右前後に整列状態にアイコン選択画面ｂが現れる。この図３では、例えば後述する音楽のアプリケーション１３を意味する音楽アイコン（イ）が左上に、一方、Ｂｌｕｅ  ｔｏｏｔｈ（ブルートゥース）等の近距離無線通信機能を意味する無線アイコン（ロ）が右上に表れている。
【００１１】
そこで、該アイコン選択画面ｂの前記複数個のアイコンの一つを選択すると、当該アイコンに基づくアプリケーション（実施形態では所定のアプリケーション１３）が起動する。利用者であるユーザＵは、複数個のメニューから「登録済みのメニューｄ」を特定、例えば音楽ソフトであれば好みのＡ曲１３ａを選定する。
【００１２】
実施形態では、前記好みのＡ曲１３ａの選定が「付加的認証条件」としてのＰＩＮコードを解除するトリガーと成る。付言すると、実施形態では、歩いているユーザＵが、互いに電源がＯＮの状態のままの所持型の通信端末１及び人体装着型の装着端末１Ａを持っている場合が、鍵情報の前記ＰＩＮコードを解除するトリガーと成る（ロックが解かれる）ので、これが「主たる認証条件」である。主たる認証条件が成立し、歩いているユーザＵが開閉体制御装置２の無線圏内に入り込むと、直ちに所持型の通信端末１の応答器と開閉体制御装置１の認証部（質問器）との呼応が可能となるが、実施形態では、より一層防犯対策を高めるに、前記ユーザＵが、他の条件、例えば実施形態では通信端末側の音楽のアプリケーションが起動していることを満たしている必要がある。もちろん、実施形態の効果が不要ならば主たる認証条件だけでも良い。
【００１３】
（３）次に、図２は通信端末１の構成図である。非接触ＩＣチップを搭載したＡｎｄｒｏｉｄ端末（例えば登録商標のスマートフォンなどの通信端末）１と、開閉体制御装置の一例である電気錠制御装置２は、前述したように（ａ）互いに電源がＯＮの状態の通信端末１と装着端末１Ａがペアーとなっており、（ｂ）両方が開閉体制御装置２の無線圏内Ｙに存在する限り、（ｃ）図２で示すように開閉体制御装置としての電気錠制御装置２と通信端末１との間で認証通信３を行うことができ、（ｄ）電気錠制御装置２側の認証が成立すると、図１で示すように建具の扉、駐車場の開閉バー等のゲート４が自動的に開く。（ｅ）したがって、ユーザＵはゲート４をフリーハンドの状態で通過することができる。（ｆ）一方、通信端末１と装着端末１Ａがペアーでない場合には、例えば正規のユーザでない者が前記通信端末１のみを所持している場合には、前述の「主たる認証条件」が成立しないので、通信端末１の応答器は開閉体制御装置２の認証部（質問器も含む）２ｆに応答することができない。
【００１４】
さて、通信端末１は、通信・データ通信用の送受信部としての入出力部１１と、情報を処理する制御部１２と、少なくとも一つ以上のアプリケーション１３、認証用ＰＩＮコード１４、通信端末の製造番号、端末番号、個人識別情報等のＩＤ（識別情報）１５をそれぞれ記憶する記憶部１６と、前記アプリケーション１３を実行して前記入出力部１１の表示画面１１ａに文字、数字、記号、絵柄、音楽、写真等のアプリケーション情報を出力するアプリケーション実行部１７と、該アプリケーション実行部１７によってアプリケーションが起動したことを検出するイベント検出部１８と、このイベント検出部１８の検出に基づいてＰＩＮ認証フラグを立てるフラグ設定部１９と、装着端末用送受信部２０と、該装着端末用送受信部が受信した装着端末の識別情報等を認証する認証部２１を備え、前記入出力部１１は前記制御部１２の制御に基づき図示しない通信網を介して通信することができると共に、前記電気錠制御装置２に認証通信（ＩＤ）を行うことができる。また前記装着端末用送受信部２０は、装着端末１Ａとの間でＢｌｕｅ  ｔｏｏｔｈ（ブルートゥース：登録商標）等の近距離無線通信が可能である。
【００１５】
しかして、入出力部１１は、数字や文字、操作指示などの情報をユーザが、例えば表示画面１１ａを介して入力する部分であり、複数のキー（例えばアイコン）（イ）、（ロ）………（ｎ）を備える。制御部１２は情報を処理する演算処理部である。記憶部１６は、ＩＤ（識別情報）及びＰＩＮ（Ｐｅｒｓｏｎａｌ／Ｉｄｅｎｔｉｆｉｃａｔｉｏｎ／Ｎｕｍｂｅｒ；暗証番号）を記憶している部分である。
【００１６】
実施形態では、記憶部１６には、購入時に既に格納されている或いはインターネットを介してダウンロードした単数又は複数のアプリケーションが格納され、その中にユーザが特に選定した所定（特定）のアプリケーション１３が登録されている。
また記憶部１６には、所定のアプリケーション１３の一例である、例えば音楽ソフトには、複数個のメニュー（例えばＡ曲１３ａ、Ｂ曲１３ｂ、Ｃ曲１３ｃ………ｎ曲１３ｎ）のいずれか一つが登録されている。
【００１７】
付言すると、通信端末１の記憶部１６には、所有者（利用者）Ｕの好みに合う少なくとも一つの所定アプリケーション（例えば音楽ソフト）１３が登録されており、所有者は表示画面１１ａを操作して該所定アプリケーション１３を起動させ、さらに、該所定アプリケーション１３を起動することによって得ることができる複数個のメニューの内、特定のメニュー（例えばＡ曲１３ａ）を、前記表示画面１１ａを介して入力（特定）することができる。
【００１８】
イベント検出部１８はアプリケーション実行部１７によって前記所定アプリケーション１３の特定のメニューが作動したことを検知する。したがって、実施形態では、例えば特定のメニュー（例えばＡ曲１３ａ）が、前述したように付加的認証条件のトリガーとなる。付言すると、装着端末がユーザの耳に付けているイヤホンと接続可能な中継ユニットである場合には、ユーザＵが通信端末１の前記Ａ曲１３ａを、前記中継ユニットを介して聞きながら、開閉体制御装置２の無線圏内Ｙに入ってきた場合に、該通信端末１の応答器が開閉体制御装置２の質問器２ａに応答する。
【００１９】
したがって、フラグ設定部１９は、前記イベント検出部１８がイベント（入力）を検出した時にＰＩＮコード１４を解除するフラグ（所定のフラグ；イベント認証済みフラグ）を立てる部分である。これにより、通信端末１の制御部（ＩＣ）１２は、前記特定のメニュー（例えばＡ曲１３ａ）が再生状態となっていることを、フラグ設定部１９を介して知ることができる。
【００２０】
制御部１２は、「主たる認証条件（通信端末と唯一の装着端末の存在）」が成立し、かつ、「従たる或いは付加的認証条件（所定アプリケーション１３が起動中）」の両方の条件（ＡＮＤ）を満足すると、認証用ＰＩＮコード１４を解除すると共に、通信端末側の無線通信部１１を介して、少なくともＩＤ（鍵情報）１５を外へ送信する。この場合通信端末１がＩＤ１５を出力する態様は特に問わない。通信端末１が自ら認証用ＰＩＮコード１４が解除したならば、直ちに或いは間欠的にＩＤ１５を出力しても良いし、又は電気錠制御装置２から要求信号に対して「受付ＯＫ」ということで、ＩＤ１５を返信しても良い。
【００２１】
なお、通信端末１は、例えばＦｅｌｉＣａチップ（ＩＣチップ；「ＦＥＬＩＣＡ」は登録商標）が搭載されたモバイルＦｅｌｉＣａであり、識別番号，暗証番号、ＰＩＮ認証フラグ等は、ＦｅｌｉＣａチップのメモリに記憶されている。また通信端末１は、通信端末に必要な電話機能等は当然に備えている。ここでは通信端末１の公知ないし周知事項の詳細説明は割愛する。
【００２２】
（４）次に、ＩＤ１５を含む認証通信３及び送受信部（受信手段・送信手段）２ａを介して通信端末１のＩＤ１５を取得した電気錠制御装置２は、認証部（質問器も含む）２ｆの認証（判別）を経て、記憶部２ｅの登録情報と前記ＩＤ１５が一致したならば、電気錠５を構成する駆動部（例えば駆動モータ、扉開閉装置）５、５Ａに駆動信号を送り、電気錠５のデッドボルト６を後退させる、又はデッドボルト６を後退させると共に開閉体４を自動的に開く。
【００２３】
図４は開閉体制御装置の一例としての電気錠制御装置２のブロック図である。通信端末１は、望ましくは図２で示すように開閉体４の一例としての自動扉に機械的にも開閉可能な電気錠５が設置された電気錠制御装置２と組み合わせて用いられる。電気錠制御装置２の電気錠制御部２ｄは、例えば家屋やマンションやビルの壁面、それらの扉、錠箱の内部のいずれかに配設されている。
【００２４】
電気錠制御装置２は、受信手段（受信コイル）２ａと、増幅・検波部２ｂ、１／０変換部２ｃと、電気錠制御部２ｄと、記憶部（データバッファ）２ｅと、認証部（判定手段）２ｆと、駆動信号出力部２ｇとから構成されている。
【００２５】
受信手段２ａは、通信端末１から出力されたＩＤを受信する。増幅・検波部２ｂは受信コイル２ａで得られた高周波を増幅し、検波して１／０変換部２ｃに供給する。１／０変換部２ｃは増幅・検波部２ｂにて復調された受信情報を「１」と「０」の所定のコードに変換して出力する。
【００２６】
電気錠制御部２ｄの記憶部２ｅは、図示しないＣＰＵ、ＲＯＭ及びＲＡＭを有して構成され、ＲＯＭにはＣＰＵを制御するためのプログラムと製造番号や端末番号、個人を特定する番号等が記憶されている。
【００２７】
また認証部２ｆは、１／０変換部２ｃから得られた受信情報（例えば通信端末１の端末番号、利用者である個人を特定する識別番号、ＰＩＮコード等）が予め登録されたものか否かを判定し、登録されたものであると判断すると、電気錠制御部２ｄは開閉体４に設置された電気錠５の施・解錠又は／及び扉自動開閉装置５Ａを制御する。
なお、実施形態によっては、前記電気錠制御部２ｄは電気錠５の制御と共に、端末番号、識別番号、ＰＩＮコード（暗証番号）を、信号出力部を介して図１で示すシステム管理部Ｚへ出力する。
【００２８】
（５）次に、図５は装着端末１Ａのブロック図である。ユーザＵが身に付ける装着端末１Ａは通信端末１と無線通信するための物である。すなわち、装着端末（特許文献１に記載のキー装置）１Ａは通信端末１に対して唯一の近距離通信が可能な端末の一種であり、前記通信端末１との間で常時近距離通信を行い、通信端末１と装着端末１Ａとが離れて互いの通信が不可能になった時点で、通信端末端１は自動的に自己の有する鍵情報をロックする制御システムの構成要素として構築される（特許文献１、特許文献２参照）。
【００２９】
装着端末１Ａの構成及び該装着端末と通信端末１とのやり取り（フローチャート）は公知事項なので、ここでは簡単に説明する。実施形態では、特に物の具体的形態は図示しないが、装着端末１Ａはイヤホンと接続可能な「中継ユニット」である。図５に於いて、装着端末１Ａは、電波送受信部３０、制御部３１、鍵情報に関連する自己等の識別情報を記憶する記憶部３２を有する。前記電波送受信部３０は、通信端末１と近距離用電波を用いて通信する送受信部である。また前記制御部３１は、前記記憶部３２の識別情報の読み出しや書き込み等を行う。
【００３０】
（６）図６は主要部のフローチャートである。この図６では、図面左側に通信端末１、図面右側に装着端末１Ａ、図面下方に開閉体制御装置２を示す。通信端末１に電源を入れると、周知のように自己の制御部１２により、セキュリティロックが掛かっている（ステップＳ１）。前述したように通信端末１は無断で他人に使用されないように適宜にセキュリティロックが掛かっているので、正規のユーザＵは、パスワード、指紋、網膜等の認証により、好きな時にセキュリティロックを解くことができる。ここでは、正規のユーザＵが自己の意思でセキュリティロックを解く前に、通信端末１はセキュリティロックが掛かっている状態で自己のペア（装着端末）を探す（ステップＳ２）。特許文献１及び特許文献２に記載されているように、通信端末１と装着端末１Ａとの無線が確立しない場合には、通信端末１はセキュリティロックのままであり、少なくとも他人はセキュリティロックを解くことができない。そこで、図面右側に示したように、装着端末１Ａは電源ＯＮの状態であり、かつ通信が確立できる無線圏内に存在している（正規のユーザＵが装着端末１Ａを身に付けている）と、装着端末１Ａと通信端末１のやり取りは可能であるから、装着端末１Ａは自己の識別情報等を送信する（応答：ステップＳ３）。通信端末１は装着端末１Ａからの応答を受け取ったならば、認証部１９で認証する。認証の結果、唯一の識別情報である場合には対（ペアー）を探し当てたということになる（主たる認証成立：ステップＳ４）。そこで、通信端末１は自己のセキュリティロックを解く（ステップＳ５）。これにより、誰でも使用可能な通常の使用状態となる（ステップＳ６）。
【００３１】
ステップＳ７〜ステップＳ９が本発明の特徴部分である。まずＳ７は、正規のユーザＵが、例えば買い物の帰りであり、開閉体４の付近まで歩いてきた場合である。このような場合には通信端末１及び装着端末１Ａの両方が開閉体制御装置２の無線圏内Ｙに存在することになる（ステップＳ７）。この時、前記ステップＳ５で通信端末１のセキュリティロックが解かれている状態であるから、開閉体制御装置２の認証部（質問器）２ｆと装着端末１Ａの応答器の間で呼応が開始される（ステップＳ８）。
【００３２】
しかして、開閉体制御装置２の認証部（質問器）２ｆは、通信端末１から受け取った鍵情報を登録済みの識別情報と比較・照合して、それが正規の鍵情報であるならば、前記通信端末１からの前記鍵情報の応答について、通信情報が一致すると、開閉体制御装置２は正規のユーザが前記通信端末１を所持しているものと見做し、電気錠制御部２ｄは電気錠５を解錠状態に制御し、又は前記ユーザがハンズフリーの状態で通過することができるように建具の扉４を開くように制御するユーザＵがハンズフリーの状態で通過することができるように建具に設けられた扉４を開くように制御する（電気錠が住宅用の玄関錠の場合にはデッドボルト６を解錠方向に後退動させるのが望ましい）。
【００３３】
なお、図７は第１実施形態における開閉体制御装置側のフローチャートで、該フローチャートの具体的構成は、本発明の特定要件ではないが、簡単に説明する。まずステップＳ８Ａは、送受信部２ａの受信手段を介して通信端末１から送信されたＩＤ１５を受信する。ステップＳ８Ｂは、認証通信３の中にＰＩＮコード１４が含まれている実施形態の場合には、当該ＰＩＮコードが一致するか否かをチェックする。一致しない場合には戻り、一致する場合には、ステップＳ８ＣでＩＤ１５が一致するか否かをチェックする。そして、ＩＤ１５が一致する場合には解錠又は／及び開扉する。
【００３４】
（７）図８は、より一層防犯対策を高めるに第１実施形態に付加的認証条件を加味したフローチャートである。実施形態の通信端末１は、所定アプリケーション１３を有し、該所定アプリケーション１３は利用者の操作により起動することを説明した。そこで、主たる認証条件が成立したことを前提として、これに「ＡＮＤ条件」を加えることにより、通信端末１は開閉体制御装置２との呼応が可能になる。ここでは、説明の便宜上第２実施形態とする。
【００３５】
第２実施形態のフローチャートは、例えば装着端末１Ａは、図示しないイヤホンと接続可能な中継ユニットであり、通信端末１は装着端末１Ａとの認証成立を「主たる認証成立条件」とし、該主たる認証成立条件が成立後、自己の特定のアブリケーションが起動中であることを「付加的認証条件」とし、該付加的認証条件も成立したならば、開閉体制御装置２に応答するというものである。
【００３６】
そこで、主たる認証成立条件が成立後、イベント検出部１８は、アプリケーション実行部１７によって前記所定アプリケーション１３の特定のメニュー、例えばＡ曲１３ａが選定されたか否かを検出する（ステップＳ７Ａ）。そこで、イベント検出部１８はＡ曲１３ａを検出すると、フラグ設定部１９はＡ曲１３ａが再生中であることを示し、該状態信号を受け取った制御部１２は、自らＰＩＮコードを解除する（ステップＳ７Ｂ）。そして、制御部１２はＰＩＮコードを解除したことを条件として、例えば外部からの信号受付を「ＯＫ」の状態にする（ステップＳ７Ｃ）。このよう通信端末１には二重、三重の認証条件が加わるので、第三者に通信端末１が勝手に操作されないのが、第２実施形態である。以後、第１実施形態のように、開閉体制御装置２の質問器と装着端末１Ａの応答器の間で呼応が開始される（ステップＳ８）。以下のフローチャートは第１実施形態と同様である（図７を援用）。
【００３７】
（８）図９は開閉体制御装置が駐車場の出入り口に設けられたゲート制御装置２Ａである概略説明図、図１０はゲート制御装置を示す概略ブロック図である。基本的には第１実施形態と同様なので、詳細な説明は割愛する。通信端末１は入退出管理装置に利用することができるので、例えば車Ｖの出入り口に設置されたゲート制御装置２Ａとの結合で用いることができる。これらの図に於いて、２Ａはゲート制御装置、５Ａは棒状・板状の開閉体（開閉バー）４Ａを開閉する入退出用ロックバー駆動装置、２ａは受信手段、２ｂ、２ｃはＩＤ読取部、２ｆは認証部、２ｄは開閉体制御部である。通信端末１とゲート制御装置２Ａのフローチャートは、図６、図７、図８を援用し、重複する説明を割愛する。
【００３８】
したがって、この実施形態の少なくとも入室管理装置は、ユーザＵが趣味的に人体に装着し又は普通一般に身に付けて移動する物であり、かつ近距離無線通信機能を有する装着端末１Ａと、この装着端末を唯一のペアーとして認証のやり取りができ、かつ記憶部に鍵情報を有する所持型の通信端末１と、この通信端末との間で無線通信が行われるゲート制御装置２Ａとを備え、前記通信端末及び前記装着端末の両方が前記ゲート制御装置の無線圏内Ｙに存在するとき、前記通信端末は前記ゲート制御装置との間で通信可能となり、前記ゲート制御装置と前記通信端末との呼応の結果、認証が成立すると、前記ゲート制御装置は正規のユーザが前記通信端末を所持しているものと見做して前記ユーザがハンズフリーの状態で通過することができるように車両や人の出入り口に設けられた開閉バー４Ａを左右又は上下に開くように制御する。
【００３９】
（９）図１１はユーザが身に付けている物の具体例で、（ａ）は装着端末１Ａが人体の特定の動きを検知するカメラを有する検知手段Ｓ１を備えた眼鏡４１、（ｂ）は装着端末１Ａの振動を検知する検知手段Ｓ２を備えた靴５１、（ｃ）は装着端末１Ａが物理的刺激（振動、接触、光の遮蔽等）を検知する検知手段Ｓ３を備えた腕時計６１である。第２実施形態では通信端末１側に「付加的認証条件」を設けたが、図１１の（ａ）と（ｂ）と（ｃ）は装着端末１Ａ側に「付加的認証条件」を設けたものである。
【００４０】
しかして、前記（ａ）の眼鏡４１の実施形態の場合には、検知手段Ｓ１は人体の特定の動きを検知する機能を有することから、例えば眼鏡４１を装着したユーザＵが開閉体制御装置２の無線圏内で瞼を複数回（例えば２回以上）「パチパチ」と開閉すると、検知手段Ｓ１はその状態を検出して自己の識別情報等を通信端末１に送信する。
【００４１】
また前記（ｂ）の靴５１の実施形態の場合には、検知手段Ｓ２は歩数を測る器具の如く、人体の振動を検知するものであるから、開閉体制御装置２の無線圏内で足を「バタバタ」させる、或いは検知手段Ｓ２を備えた靴５１を振ると、検知手段Ｓ２はその状態を検出して自己の識別情報等を通信端末１に送信する。
【００４２】
さらに、前記（ｃ）の腕時計６１の実施形態の場合には、検知手段Ｓ３は振動センサー、温度センサー、受光素子等を備えた光センサー等であるから、開閉体制御装置２の無線圏内で時計をはめた方の腕を複数回振る、腕時計６１の本体の特定の部位に触る、腕時計６１の本体の表面上端部を手の平で塞ぐ等の操作をすると、前述した「付加的認証条件」が満たされることになる。
【００４３】
したがって、前記（ａ）の眼鏡４１の実施形態の場合には、装着端末１Ａと通信端末１のやり取りの中には、通信端末１のセキュリティロックを解くための検知情報が含まれ、該検知情報は前記装着端末１ＡのユーザＵが装着する眼鏡４１に設けられ、かつユーザＵの瞼の動きを検知する検知手段Ｓ１からのものであり、該検知手段Ｓ１の検知情報は付加的認証成立の条件となることを特徴とする入室管理装置である。
【００４４】
また前記（ｂ）の靴５１の実施形態の場合には、装着端末１Ａと通信端末１のやり取りの中には、通信端末１のセキュリティロックを解くための検知情報が含まれ、該検知情報は前記装着端末１ＡのユーザＵが装着する靴５１に設けられ、かつユーザＵの靴５１の振動を検知する検知手段Ｓ２からのものであり、該検知手段Ｓ２の検知情報は付加的認証成立の条件となることを特徴とする入室管理装置である。
【００４５】
さらに、前記（ｃ）の腕時計６１の実施形態の場合には、装着端末１Ａと通信端末１のやり取りの中には、通信端末１のセキュリティロックを解くための検知情報が含まれ、該検知情報は前記装着端末１ＡのユーザＵが装着する腕時計６１に設けられ、かつユーザＵの腕時計６１の振動を検知する、又腕時計に接触した温度を検知する、又は腕時計の本体部を手で塞ぐことにより光の遮蔽状態を検知するの、いずれかの検知手段Ｓ３であり、該検知手段Ｓ３の検知情報は付加的認証成立の条件となることを特徴とする入室管理装置である。  
【００４６】
なお、本明細書に於いて、「趣味的に人体に装着して移動する物」とは、ネックレス、ペンダント等の装着端末の機能を有する身飾品、かんざし、かつら等の装着端末の機能を有する頭飾品、財布、名刺入れ等の装着端末の機能を有する袋物、さらに装着端末の機能を有する帽子、装着端末の機能を有するタグ等が含まれる。
【００４７】
また「普通一般に身に付けて移動する物」には、錠前（機械的に施・解錠する錠前）、電気錠（電気的に扉が開閉する錠前）等の錠前用の装着端末としての鍵（例えば特開２０１２−２４６６３８号のような施・解錠状態の表示機能を有する表示鍵に近距離無線通信機能を付与した装着端末が望ましい。）を始めとして、実施形態で列挙した眼鏡、靴、腕時計等が含まれる。
【００４８】
そして、通信端末１と装着端末の通信が確立する「対（ペアー）」は、単数又は複数の組み合わせでも良い。また近距離無線通信機能は、Ｂｌｕｅｔｏｏｔｈ（ブルートゥース：登録商標）、無線ＬＡＮ、ＲＦタグ通信等のいずれかの無線インタフェース規格によるものである。
【００４９】
さらに、第１実施形態及び第２実施形態に、他の条件を付加しても良い。例えば閉体制御装置（２、２Ａ）は、開閉体制御装置自体、扉の外壁面の壁、扉の外壁面付近の壁、ハンドルのいずれかに設けられた解錠用釦からの信号を取得した時に通信端末１との通信を開始するように構成しても良い。この付加的条件を加味した実施形態は、ユーザはハンズフリーの状態で通過することができないものの、省電力に寄与するという効果がある。
【００５０】
また他の条件を付加例として、例えば閉体制御装置（２、２Ａ）、認証成立後、該開閉体制御装置そのもの、扉の外壁面、扉の外壁面付近の壁、扉のハンドルのいずれかに設けられた解錠用釦からの信号を取得した時、電気錠を解錠状態に制御するように構成しても良い。このように構成すれば、ユーザＵが自発的に解錠操作をしない限り、電気錠は解錠しないので、いわゆる解錠のタイミングを任意に決めることができる。
【産業上の利用可能性】
【００５１】
本発明は、例えば入退出管理装置の、少なくとも入室管理装置に利用することができる。
【符号の説明】
【００５２】
Ｘ…入室管理装置、Ｕ…ユーザ、Ｙ…無線圏内
１…通信端末、
１Ａ…装着端末、
２、２Ａ…開閉体制御装置（電気錠制御装置、ゲート制御装置）、
２ａ…開閉体制御装置（例えば電気錠制御装置）の送受信部、
２ｄ…電気錠制御部、
２ｆ…開閉体制御装置の認証部、
３…認証通信、
４、４Ａ…開閉体、
５…電気錠、
５Ａ…扉自動開閉装置（入退出用ロックバー駆動装置）、
１１…通信端末の入出力部（通信・データ通信用の送受信部）、
１２…通信端末の制御部、
１３…通信端末のアプリケーション、
１３ａ乃至１３ｎ…通信端末のメニュー、
１４…通信端末のＰＩＮコード、
１５…通信端末のＩＤ、
１６…通信端末の記憶部、
１７…通信端末のアプリケーション実行部、
１８…通信端末のイベント検出部、
１９…通信端末のフラグ設定部。
２０…装着端末用送受信部、
２１…通信端末の認証部、
３０…装着端末の電波受信部、
３１…装着端末の制御部、
３２…装着端末の記憶部。
【図１】
2016188477.tif 000003
【図２】
2016188477.tif 000004
【図３】
2016188477.tif 000005
【図４】
2016188477.tif 000006
【図５】
2016188477.tif 000007
【図６】
2016188477.tif 000008
【図７】
2016188477.tif 000009
【図８】
2016188477.tif 000010
【図９】
2016188477.tif 000011
【図１０】
2016188477.tif 000012
【図１１】
2016188477.tif 000013